(57)【要約】      （修正有）【課題】ランチプレート用の組み立て式携帯食器を提供する。【解決手段】組み立て式携帯食器は、支え台９０１を含み、保温ランチプレートを取り付ける時は、連結板を上に引き、前後両側の挿しロッドを上に移動連動させ、挿しロッドが挿し溝から移出された後に挿し溝に挿し板を挿し、連結板を放した後に挿しロッドを挿し連結穴の中に挿し、連結板を放し、バネの作用により挿しロッドが復帰され、取り付けが完成され、保温ランチプレートは加熱と保温の機能を持ち、内部に置かれている食べ物の食感と味を維持でき、ランチプレートの間の角度が調節でき、またランチプレートは取り外されることができ、保存と洗いが簡単である。【選択図】図１
2020175073.tif 000002
【特許請求の範囲】
【請求項１】
支え台を含み、前記支え台は回転軸を含み、前記回転軸には二つの回転ブロックＡと回転ブロックＢが設けられ、前記回転ブロックＢの外側には回転スリーブが回転できるように取り付けられ、前記回転スリーブの左側端面には連結ブロックＡが固定的に取り付けられ、前記回転ブロックＡの右側端面には連結ブロックＢが固定的に取り付けられ、前記連結ブロックＡと連結ブロックＢの端面には連結ヘッドが固定的に連結され、前記連結ヘッドに保温ランチプレートを取り付けることができ、前記連結ヘッドは挿しロッドと取り付けブロックを含み、前記取り付けブロックの中には外に開口した挿し溝が設けられ、前記保温ランチプレートは挿し板を含み、前記挿し板と前記挿し溝とがスライドできるように係合されることができ、前記挿し溝の中には二つの上下に貫通している挿し連結穴が設けられ、前記挿し連結穴と前記挿しロッドとがスライドできるように係合されることができ、前記挿し板と前記挿し溝、前記挿しロッドと前記挿し連結穴の係合により、前記連結ヘッドと前記保温ランチプレートとが固定されることができ、本発明には前記保温ランチプレートに電気を提供する送電部品も設けられることを特徴とする組み立て式携帯食器。
【請求項２】
前記支え台は底板も含み、前記底板の中には回転チャンバが設けられ、前記回転チャンバの中には固定スリーブが固定的に取り付けられ、前記回転軸の底部端面には位置制限回転ブロックが固定的に取り付けられ、前記位置制限回転ブロックと前記固定スリーブとが回転できるように係合され、前記底板の頂部端面には軸外殼が固定的に取り付けられ、前記軸外殼と前記回転軸とが回転できるように係合され、前記軸外殼には二つの凸部分Ａと凸部分Ｂが設けられ、前記凸部分Ａと前記回転スリーブとが固定され、前記凸部分Ｂと前記回転ブロックＡとが回転できるように係合され、前記凸部分Ｂには位置制限溝が設けられ、前記連結ブロックＢと前記位置制限溝とがスライドできるように係合され、前記回転軸の頂部端面には回転盤が固定的に取り付けられ、これにより回転盤を回すことによって回転軸を回転連動させ、回転軸が回転ブロックＡと回転ブロックＢとを回転連動させ、回転ブロックＡが連結ブロックＢを回転連動させ、半周を回した後に位置制限溝が連結ブロックＢを固定することを特徴とする請求項１に記載の組み立て式携帯食器。
【請求項３】
前記連結ヘッドは前記挿し溝の上に位置している前後に対称的な復帰チャンバも含み、前記挿しロッドが前記復帰チャンバを貫き、かつ前記取り付けブロックの頂部端面を貫通し、前後に対称的な前記挿しロッドが二つあり、前後両側の前記挿しロッドの頂部端面の間には連結板が固定的に取り付けられ、前記取り付けブロックが前記連結ブロックＡと連結ブロックＢの端面に固定的に取り付けられ、前記挿しロッドのうち前記復帰チャンバの中に位置しているところには位置制限ブロックが設けられ、前記位置制限ブロックと前記復帰チャンバの頂壁との間にはバネが設けられ、これにより連結板を上に引く時に、前後両側の挿しロッドを上に移動連動させ、挿しロッドが挿し溝から移出された後に保温ランチプレートを取り付けるまたは取り出すことができ、連結板を放し、バネの作用により挿しロッドが復帰されることを特徴とする請求項１に記載の組み立て式携帯食器。
【請求項４】
前記保温ランチプレートはランチプレートも含み、前記挿し板が前記ランチプレートの端面に固定的に取り付けられ、前記ランチプレートの中には上方に開口した保存チャンバが設けられ、前記保存チャンバの内壁には環状溝が設けられ、前記環状溝にカバーを挿し連結させることができ、前記保存チャンバの下方には加熱チャンバが設けられ、前記加熱チャンバの左右壁の間にはヒーティングワイヤが固定的に取り付けられ、これにより保温ランチプレートを取り付ける時は、挿しロッドを引き、挿し溝に挿し板を挿し、連結板を放した後に挿しロッドを挿し連結穴の中に挿し、取り付けが完成され、ヒーティングワイヤが通電されて熱を出すことができ、保存チャンバの中の温度を上げることを特徴とする請求項１に記載の組み立て式携帯食器。
【請求項５】
前記送電部品は前記底板の右側端面の中に位置している電源口を含み、前記位置制限回転ブロックの底部端面にはワイヤＡが連結され、前記ワイヤＡと前記回転軸とが連結され、前記回転軸と前記取り付けブロックとの間には電力が伝達できるようにワイヤＢが係合し接続され、前記取り付けブロックの中には外に開口した挿し穴が設けられ、前記ランチプレートの端面には挿しヘッドが設けられ、前記挿しヘッドと前記挿し穴とが電力が伝達できるように係合され、これにより保温ランチプレートを取り付ける時に挿し穴に挿しヘッドを挿し、電源口に電源が接続された後にワイヤＡが電力を伝達しはじめ、そしてワイヤＢによって電力を挿しヘッドに伝達し、挿しヘッドが電力をヒーティングワイヤに伝達することを特徴とする請求項１に記載の組み立て式携帯食器。
【発明の詳細な説明】
【技術分野】
【０００１】
本発明はランチプレート分野を取り上げて、具体的には組み立て式携帯食器である。
【背景技術】
【０００２】
一部のパーティーをする場所やレストランに、組み立て式のランチプレートが使用され、より多くの食べ物を置くことができ、また更に美観であり、一部の食べ物の食感と味が温度の変化によって変化し、温度を維持するしか食感と味を維持できなく、しかし現有の組み立て式ランチプレートは保温機能がなく、時間が長く経つと温度が下がり食べ物の食感を影響し、また多くの組み立て式ランチプレートは取り外されることができなく、ランチプレートが全部同じ位置に固定され、保存も洗浄も不便である。
【先行技術文献】
【特許文献】
【０００３】
【特許文献１】中国特許出願公開第１０４６８７９６０号明細書
【発明の概要】
【発明が解決しようとする課題】
【０００４】
本発明の目的は組み立て式携帯食器を提供し、それは上記の現在の技術中の問題を解決できる。
【課題を解決するための手段】
【０００５】
本発明の組み立て式携帯食器は、支え台を含み、前記支え台は回転軸を含み、前記回転軸には二つの回転ブロックＡと回転ブロックＢが設けられ、前記回転ブロックＢの外側には回転スリーブが回転できるように取り付けられ、前記回転スリーブの左側端面には連結ブロックＡが固定的に取り付けられ、前記回転ブロックＡの右側端面には連結ブロックＢが固定的に取り付けられ、前記連結ブロックＡと連結ブロックＢの端面には連結ヘッドが固定的に連結され、前記連結ヘッドに保温ランチプレートを取り付けることができ、前記連結ヘッドは挿しロッドと取り付けブロックを含み、前記取り付けブロックの中には外に開口した挿し溝が設けられ、前記保温ランチプレートは挿し板を含み、前記挿し板と前記挿し溝とがスライドできるように係合されることができ、前記挿し溝の中には二つの上下に貫通している挿し連結穴が設けられ、前記挿し連結穴と前記挿しロッドとがスライドできるように係合されることができ、前記挿し板と前記挿し溝、前記挿しロッドと前記挿し連結穴の係合により、前記連結ヘッドと前記保温ランチプレートとが固定されることができ、本発明には前記保温ランチプレートに電気を提供する送電部品も設けられる。
【０００６】
更の技術プラン、前記支え台は底板も含み、前記底板の中には回転チャンバが設けられ、前記回転チャンバの中には固定スリーブが固定的に取り付けられ、前記回転軸の底部端面には位置制限回転ブロックが固定的に取り付けられ、前記位置制限回転ブロックと前記固定スリーブとが回転できるように係合され、前記底板の頂部端面には軸外殼が固定的に取り付けられ、前記軸外殼と前記回転軸とが回転できるように係合され、前記軸外殼には二つの凸部分Ａと凸部分Ｂが設けられ、前記凸部分Ａと前記回転スリーブとが固定され、前記凸部分Ｂと前記回転ブロックＡとが回転できるように係合され、前記凸部分Ｂには位置制限溝が設けられ、前記連結ブロックＢと前記位置制限溝とがスライドできるように係合され、前記回転軸の頂部端面には回転盤が固定的に取り付けられる。
【０００７】
更の技術プラン、前記連結ヘッドは前記挿し溝の上に位置している前後に対称的な復帰チャンバも含み、前記挿しロッドが前記復帰チャンバを貫き、かつ前記取り付けブロックの頂部端面を貫通し、前後に対称的な前記挿しロッドが二つあり、前後両側の前記挿しロッドの頂部端面の間には連結板が固定的に取り付けられ、前記取り付けブロックが前記連結ブロックＡと連結ブロックＢの端面に固定的に取り付けられ、前記挿しロッドのうち前記復帰チャンバの中に位置しているところには位置制限ブロックが設けられ、前記位置制限ブロックと前記復帰チャンバの頂壁との間にはバネが設けられる。
【０００８】
更の技術プラン、前記保温ランチプレートはランチプレートも含み、前記挿し板が前記ランチプレートの端面に固定的に取り付けられ、前記ランチプレートの中には上方に開口した保存チャンバが設けられ、前記保存チャンバの内壁には環状溝が設けられ、前記環状溝にカバーを挿し連結させることができ、前記保存チャンバの下方には加熱チャンバが設けられ、前記加熱チャンバの左右壁の間にはヒーティングワイヤが固定的に取り付けられる。
【０００９】
更の技術プラン、前記送電部品は前記底板の右側端面の中に位置している電源口を含み、前記位置制限回転ブロックの底部端面にはワイヤＡが連結され、前記ワイヤＡと前記回転軸とが連結され、前記回転軸と前記取り付けブロックとの間には電力が伝達できるようにワイヤＢが係合し接続され、前記取り付けブロックの中には外に開口した挿し穴が設けられ、前記ランチプレートの端面には挿しヘッドが設けられ、前記挿しヘッドと前記挿し穴とが電力が伝達できるように係合される。
【発明の効果】
【００１０】
保温ランチプレートは加熱と保温の機能を持ち、内部に置かれている食べ物の食感と味を維持でき、ランチプレートの間の角度が調節でき、またランチプレートは取り外されることができ、保存と洗いが簡単であり、外形も美観であり、様々なレストランやパーティーをする場所に適し、普及価値がある。
【図面の簡単な説明】
【００１１】
説明しやすいため、本発明は以下の具体的な実施例と付図を交え詳しく説明する。
【００１２】
【図１】図１は本発明の全体構成略図
【図２】図２は図１のＡの拡大構成略図
【図３】図３は図１のＢの拡大構成略図
【図４】図４は挿し板の部分構成略図
【発明を実施するための形態】
【００１３】
以下、図１−４を合わせて本発明について詳しく説明し、また、説明の便利を図るため、下記に記載の上下左右前後方向が図１自身の投影関係の上下左右前後方向と一致することにする。
【００１４】
図１−４を参照し、本発明の組み立て式携帯食器は、支え台９０１を含み、前記支え台９０１は回転軸１２を含み、前記回転軸１２には二つの回転ブロックＡ１３と回転ブロックＢ２４が設けられ、前記回転ブロックＢ２４の外側には回転スリーブ２５が回転できるように取り付けられ、前記回転スリーブ２５の左側端面には連結ブロックＡ２６が固定的に取り付けられ、前記回転ブロックＡ１３の右側端面には連結ブロックＢ１６が固定的に取り付けられ、前記連結ブロックＡ２６と連結ブロックＢ１６の端面には連結ヘッド９０２が固定的に連結され、前記連結ヘッド９０２に保温ランチプレート９０３を取り付けることができ、前記連結ヘッド９０２は挿しロッド４３と取り付けブロック２７を含み、前記取り付けブロック２７の中には外に開口した挿し溝４０が設けられ、前記保温ランチプレート９０３は挿し板３０を含み、前記挿し板３０と前記挿し溝４０とがスライドできるように係合されることができ、前記挿し溝４０の中には二つの上下に貫通している挿し連結穴３９が設けられ、前記挿し連結穴３９と前記挿しロッド４３とがスライドできるように係合されることができ、前記挿し板３０と前記挿し溝４０、前記挿しロッド４３と前記挿し連結穴３９の係合により、前記連結ヘッド９０２と前記保温ランチプレート９０３とが固定されることができ、本発明には前記保温ランチプレート９０３に電気を提供する送電部品９０４も設けられる。
【００１５】
有益的には、前記支え台９０１は底板２２も含み、前記底板２２の中には回転チャンバ４５が設けられ、前記回転チャンバ４５の中には固定スリーブ４７が固定的に取り付けられ、前記回転軸１２の底部端面には位置制限回転ブロック４６が固定的に取り付けられ、前記位置制限回転ブロック４６と前記固定スリーブ４７とが回転できるように係合され、前記底板２２の頂部端面には軸外殼１１が固定的に取り付けられ、前記軸外殼１１と前記回転軸１２とが回転できるように係合され、前記軸外殼１１には二つの凸部分Ａ２１と凸部分Ｂ２０が設けられ、前記凸部分Ａ２１と前記回転スリーブ２５とが固定され、前記凸部分Ｂ２０と前記回転ブロックＡ１３とが回転できるように係合され、前記凸部分Ｂ２０には位置制限溝１７が設けられ、前記連結ブロックＢ１６と前記位置制限溝１７とがスライドできるように係合され、前記回転軸１２の頂部端面には回転盤１４が固定的に取り付けられ、これにより回転盤１４を回すことによって回転軸１２を回転連動させ、回転軸１２が回転ブロックＡ１３と回転ブロックＢ２４とを回転連動させ、回転ブロックＡ１３が連結ブロックＢ１６を回転連動させ、半周を回した後に位置制限溝１７が連結ブロックＢ１６を固定する。
【００１６】
有益的には、前記連結ヘッド９０２は前記挿し溝４０の上に位置している前後に対称的な復帰チャンバ２８も含み、前記挿しロッド４３が前記復帰チャンバ２８を貫き、かつ前記取り付けブロック２７の頂部端面を貫通し、前後に対称的な前記挿しロッド４３が二つあり、前後両側の前記挿しロッド４３の頂部端面の間には連結板４４が固定的に取り付けられ、前記取り付けブロック２７が前記連結ブロックＡ２６と連結ブロックＢ１６の端面に固定的に取り付けられ、前記挿しロッド４３のうち前記復帰チャンバ２８の中に位置しているところには位置制限ブロック４１が設けられ、前記位置制限ブロック４１と前記復帰チャンバ２８の頂壁との間にはバネ４２が設けられ、これにより連結板４４を上に引く時に、前後両側の挿しロッド４３を上に移動連動させ、挿しロッド４３が挿し溝４０から移出された後に保温ランチプレート９０３を取り付けるまたは取り出すことができ、連結板４４を放し、バネ４２の作用により挿しロッド４３が復帰される。
【００１７】
有益的には、前記保温ランチプレート９０３はランチプレート３６も含み、前記挿し板３０が前記ランチプレート３６の端面に固定的に取り付けられ、前記ランチプレート３６の中には上方に開口した保存チャンバ３３が設けられ、前記保存チャンバ３３の内壁には環状溝３２が設けられ、前記環状溝３２にカバー３１を挿し連結させることができ、前記保存チャンバ３３の下方には加熱チャンバ３４が設けられ、前記加熱チャンバ３４の左右壁の間にはヒーティングワイヤ３５が固定的に取り付けられ、これにより保温ランチプレート９０３を取り付ける時は、挿しロッド４３を引き、挿し溝４０に挿し板３０を挿し、連結板４４を放した後に挿しロッド４３を挿し連結穴３９の中に挿し、取り付けが完成され、ヒーティングワイヤ３５が通電されて熱を出すことができ、保存チャンバ３３の中の温度を上げ、食べ物が保温され、カバー３１を引くことによって食べ物を置くまたは取ることができる。
【００１８】
有益的には、前記送電部品９０４は前記底板２２の右側端面の中に位置している電源口２３を含み、前記位置制限回転ブロック４６の底部端面にはワイヤＡ１８が連結され、前記ワイヤＡ１８と前記回転軸１２とが連結され、前記回転軸１２と前記取り付けブロック２７との間には電力が伝達できるようにワイヤＢ１５が係合し接続され、前記取り付けブロック２７の中には外に開口した挿し穴３８が設けられ、前記ランチプレート３６の端面には挿しヘッド３７が設けられ、前記挿しヘッド３７と前記挿し穴３８とが電力が伝達できるように係合され、これにより保温ランチプレート９０３を取り付ける時に挿し穴３８に挿しヘッド３７を挿し、電源口２３に電源が接続された後にワイヤＡ１８が電力を伝達しはじめ、そしてワイヤＢ１５によって電力を挿しヘッド３７に伝達し、挿しヘッド３７が電力をヒーティングワイヤ３５に伝達し、ヒーティングワイヤ３５に電力を提供し始める。
【００１９】
使用する時、カバー３１を上げて食べ物を置き、回転盤１４を回すことによって回転軸１２を回転連動させ、回転軸１２が回転ブロックＡ１３と回転ブロックＢ２４を回転連動させ、回転ブロックＡ１３が連結ブロックＢ１６を回転連動させ、半周を回った後に位置制限溝１７が連結ブロックＢ１６を固定し、連結ブロックＢ１６と連結ブロックＡ２６の夾角が１８０°であり、保温ランチプレート９０３を取り付ける時に、連結板４４を上に引き、前後両側の挿しロッド４３を上に移動連動させ、挿しロッド４３が挿し溝４０から移出された後に挿し溝４０に挿し板３０を挿し、挿し穴３８に挿しヘッド３７を挿し、連結板４４を放した後に挿しロッド４３を挿し連結穴３９の中に挿し、連結板４４を放し、バネ４２の作用により挿しロッド４３が復帰され、取り付けが完成され、電源口２３に電源が接続された後にワイヤＡ１８が電力を伝達しはじめ、そしてワイヤＢ１５によって電力を挿しヘッド３７に伝達し、挿しヘッド３７が電力をヒーティングワイヤ３５に伝達し、ヒーティングワイヤ３５に電力を提供し始め、ヒーティングワイヤ３５が通電されて熱を出すことができ、保存チャンバ３３の中の温度を上げ、食べ物が保温される。
【００２０】
本発明の有益効果は：保温ランチプレートは加熱と保温の機能を持ち、内部に置かれている食べ物の食感と味を維持でき、ランチプレートの間の角度が調節でき、またランチプレートは取り外されることができ、保存と洗いが簡単であり、外形も美観であり、様々なレストランやパーティーをする場所に適し、普及価値がある。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175073.tif 000003
【図２】
2020175073.tif 000004
【図３】
2020175073.tif 000005
【図４】
2020175073.tif 000006